(57)【要約】【課題】タービンシステムによる排出を調整する。【解決手段】システムは、排気ガスを生成するように構成されたガスタービンエンジンと、排気ガスから処理済み排気ガスを生成するように構成された選択的触媒還元システムと、制御システムとを含む。制御システムは、選択的触媒還元システムの動作を調整するように構成された第１の制御装置と、ガスタービンエンジンの動作を調整するように構成された第２の制御装置と、排気ガス中の排出化合物の第１のレベルを最大化するとともに、同時に、選択的触媒還元システム内への還元剤の噴射を調整して、処理済み排気ガス中の排出化合物の第２のレベルを処理済み排気ガス中の排出化合物の第１の所望レベルに低減するために、第１の制御装置および第２の制御装置の動作を連動させるように構成されたオプティマイザとを備える。【選択図】図１
2015021497.tif 000002
【特許請求の範囲】
【請求項１】
排気ガスを生成するように構成されたガスタービンエンジン（１２）と、
前記排気ガスから処理済み排気ガスを生成するように構成された選択的触媒還元システム（３０）と、
制御装置（５２）であって、
前記選択的触媒還元システム（３０）の動作を調整するように構成された第１の制御装置（５２）と、
前記ガスタービンエンジン（１２）の動作を調整するように構成された第２の制御装置（５２）と、
排気ガス中の排出化合物の第１のレベルを増大させるとともに、同時に、選択的触媒還元システム（３０）内への還元剤の噴射を調整して、処理済み排気ガス中の排出化合物の第２のレベルを処理済み排気ガス中の排出化合物の第１の所望レベルに低減するために、第１の制御装置（５２）および第２の制御装置（５２）の動作を連動させるように構成されたオプティマイザ（５８）とを備える前記制御装置（５２）と、
を備えるシステム。
【請求項２】
前記オプティマイザ（５８）が、未反応の還元剤の第２の所望レベルを達成するために、前記選択的触媒還元システム（３０）内の前記未反応の還元剤の第１の量を調整するように構成される、請求項１に記載のシステム。
【請求項３】
前記排出化合物がＮＯXである、請求項１に記載のシステム。
【請求項４】
前記還元剤がアンモニアである、請求項１に記載のシステム。
【請求項５】
前記制御システムが、前記ガスタービンエンジン（１２）により生成される前記排気ガス中の前記排出化合物の前記第１のレベルを増大させるために、前記ガスタービンエンジン（１２）の１つまたは複数の動作システムを調整するように構成されたガスタービンエンジン（１２）制御装置を備える、請求項１に記載のシステム。
【請求項６】
前記１つまたは複数の動作システムが、前記ガスタービンエンジン（１２）の燃焼器（２０）の燃料分割を調節するように構成された燃料システム（７２）、前記燃焼器（２０）内に水または水蒸気を噴射するように構成された給水システム（７４）、またはそれらの両方を備える、請求項５に記載のシステム。
【請求項７】
タービンシステム（１０）を動作させる方法であって、
前記タービンシステム（１０）のガスタービンエンジン（１２）を全負荷未満で動作させることと、
前記ガスタービンエンジン（１２）により生成される排気ガス中の第１の排出化合物のレベルを所望レベルに低減するために、前記選択的触媒還元システム（３０）を動作させることと、
前記ガスタービンエンジン（１２）により生成される前記排気ガス中の前記第１の排出化合物の前記レベルを更に低減するために、前記選択的触媒還元システム（３０）の利用可能な未使用の能力を決定することと、
前記利用可能な未使用の能力に基づいて、前記ガスタービンエンジン（１２）の１つまたは複数の動作パラメータを調節することにより、前記ガスタービンエンジン（１２）により生成される前記排気ガス中の前記第１の排出化合物の前記レベルを増大させることと、
を含む方法。
【請求項８】
前記ガスタービンエンジン（１２）により生成される排気ガス中の前記第１の排出化合物の前記レベルを増大させることが、前記ガスタービンエンジン（１２）の燃焼器（２０）内への水または水蒸気の噴射を低減することを含む、請求項７に記載の方法。
【請求項９】
前記ガスタービンエンジン（１２）により生成される排気ガス中の前記第１の排出化合物の前記レベルを増大させることが、前記ガスタービンエンジン（１２）の燃焼器（２０）の火炎温度を上昇させることを含む、請求項７に記載の方法。
【請求項１０】
前記ガスタービンエンジン（１２）により生成される排気ガス中の前記第１の排出化合物の前記レベルを増大させることが、前記ガスタービンエンジン（１２）の燃焼器（２０）の燃料分割または燃空比を調節することを含む、請求項７に記載の方法。
【請求項１１】
前記ガスタービンエンジン（１２）により生成される前記排気ガス中の前記第１の排出化合物の前記レベルを更に低減するために、前記選択的触媒還元システム（３０）の前記利用可能な未使用の能力を決定することが、同時に前記選択的触媒還元システム（３０）中の未反応の還元剤の量を測定および調節することを含む、請求項７に記載の方法。
【請求項１２】
前記選択的触媒還元システム（３０）から流出する前記排気ガス中の前記第１の排出化合物の流出レベルを測定することを含む、請求項７に記載のシステム。
【請求項１３】
還元剤価格、燃料価格、電力料金、燃焼器（２０）の停止間隔、またはそれらの組み合わせに基づいて、前記ガスタービンエンジン（１２）により生成される前記排気ガス中の前記第１の排出化合物のレベルを制御することを含む、請求項７に記載のシステム。
【請求項１４】
前記排気ガスが前記ガスタービンエンジン（１２）から流出するときに、前記排気ガス中の前記第１の排出化合物のレベルを測定することを含む、請求項７に記載のシステム。
【請求項１５】
前記排気ガス中の前記第１の排出化合物の前記レベルを増大させることが、前記排気ガス中の第２の排出化合物のレベルの低下をもたらす、請求項７に記載のシステム。
【請求項１６】
タービンシステム（１０）を動作させる方法であって、
ガスタービンエンジン（１２）から流出して、排気ガスを処理済み排気ガスに処理するように構成された選択的触媒還元システム（３０）に流入する前記排気ガス中の排出化合物の第１の量の第１の所望値を設定することと、
前記選択的触媒還元システム（３０）内の還元剤スリップの第２の量に対する第２の所望値を設定することと、
前記選択的還元システムから流出する前記処理済み排気ガス中の前記排出化合物に対する第３の所望値を設定することと、
還元剤スリップの前記第２の量に対する前記第２の所望値を達成するために、還元剤を前記選択的触媒還元システム（３０）内に噴射することと、
前記排出化合物の前記第１の量の新たな所望値を設定するために、前記ガスタービンエンジン（１２）から流出して、前記選択的触媒還元システム（３０）に流入する前記排気ガス中の前記排出化合物の前記第１の量の前記第１の所望値の調節を決定することと、
前記排出化合物の前記第１の量の前記新たな第１の所望値を達成するために、前記ガスタービンエンジン（１２）の少なくとも１つの動作パラメータを調節することと、
を含む方法。
【請求項１７】
前記排出化合物の前記第１の量の前記新たな第１の所望値を達成するために、前記ガスタービンエンジン（１２）の少なくとも１つの動作パラメータを調節することが、前記ガスタービンエンジン（１２）の燃焼器（２０）内への燃料分割を調節すること、前記燃焼器（２０）の火炎温度を調節すること、前記燃焼器（２０）の燃空比を調節すること、前記燃焼器（２０）内への水または水蒸気の噴射を調節すること、またはそれらの組み合わせを含む、請求項１６に記載の方法。
【請求項１８】
還元剤スリップの前記第２の量に対する前記第２の所望値を達成するために、前記還元剤を前記選択的触媒還元システム（３０）内に噴射するステップと、前記排出化合物の前記第１の量の前記新たな第１の所望値を設定するために、前記ガスタービンエンジン（１２）から流出して、前記選択的触媒還元システム（３０）に流入する前記排気ガス中の前記排出化合物の前記第１の量の前記第１の所望値の調節を決定するステップと、前記排出化合物の前記第１の量の前記新たな第１の所望値を達成するために、前記ガスタービンエンジン（１２）の前記少なくとも１つの動作パラメータを調節するステップと、を連続ループで実行することを含む請求項１６に記載の方法。
【請求項１９】
前記選択的触媒還元システム（３０）から流出する前記処理済み排気ガス中の前記排出化合物に対する前記第３の所望値を達成しつつ、前記ガスタービンエンジン（１２）から流出する前記排気ガス中の前記排出化合物の前記第１の量を増大させることを含む、請求項１６に記載の方法。
【請求項２０】
前記排出化合物がＮＯXである、請求項１６に記載のシステム。
【発明の詳細な説明】
【技術分野】
【０００１】
本明細書に開示する主題は、タービンシステムに関し、より具体的には、かかるタービンシステムによる排出を調整するためのシステムおよび方法に関する。
【背景技術】
【０００２】
ガスタービンシステムは、典型的には、圧縮機と、燃焼器と、タービンとを有する少なくとも１つのガスタービンエンジンを含む。燃焼器は、燃料と圧縮空気の混合物を燃焼させて、高温燃焼ガスを発生させるように構成され、そして、この高温燃焼ガスがタービンの翼を駆動する。ガスタービンエンジンにより生成される排気ガスは、窒素酸化物（ＮＯX）、硫黄酸化物（ＳＯX）、炭素酸化物（ＣＯX）、および未燃炭化水素などのある種の副生成物を含み得る。一般に、排気ガスを大気中に放出する前に、排気ガス中のかかる副生成物を除去するかまたは副生成物の量を大幅に低減することが望ましい。
【先行技術文献】
【特許文献】
【０００３】
【特許文献１】米国特許第８，１５１，５７１号明細書
【発明の概要】
【０００４】
最初に特許請求された発明の範囲内にある特定の実施形態について以下で要約する。これらの実施形態は、特許請求された発明の範囲を限定することを意図するものではなく、むしろそれらの実施形態は、本発明の実施可能な形態の簡潔な概要を示すことのみを意図するものである。実際に、本発明は、以下に述べる実施形態と同様または異なる種々の形態を包含し得る。
【０００５】
第１の実施形態において、システムは、排気ガスを生成するように構成されたガスタービンエンジンと、排気ガスから処理済み排気ガスを生成するように構成された選択的触媒還元システムと、制御システムとを含む。制御システムは、選択的触媒還元システムの動作を調整するように構成された第１の制御装置と、ガスタービンエンジンの動作を調整するように構成された第２の制御装置と、排気ガス中の排出化合物の第１のレベルを増大させるとともに、同時に、選択的触媒還元システム内への還元剤の噴射を調整して、処理済み排気ガス中の排出化合物の第２のレベルを処理済み排気ガス中の排出化合物の第１の所望レベルに低減するために、第１の制御装置および第２の制御装置の動作を連動させるように構成されたオプティマイザとを備える。
【０００６】
第２の実施形態において、タービンシステムを動作させる方法は、タービンシステムのガスタービンエンジンを全負荷未満で動作させることと、ガスタービンエンジンにより生成される排気ガス中の排出化合物のレベルを所望レベルに低減するために、選択的触媒還元システムを動作させることと、ガスタービンエンジンにより生成される排気ガス中の排出化合物のレベルを更に低減するために、選択的触媒還元システムの利用可能な未使用の能力を決定することと、ガスタービンエンジンの１つまたは複数の動作パラメータを調節することにより、ガスタービンエンジンにより生成される排気ガス中の排出化合物のレベルを増大させることとを含む。
【０００７】
第３の実施形態において、タービンシステムを動作させる方法は、ガスタービンエンジンから流出して、排気ガスを処理済み排気ガスに処理するように構成された選択的触媒還元システムに流入する排気ガス中の排出化合物の第１の量の第１の所望値を設定することと、選択的触媒還元システム内の還元剤スリップの第２の量に対する第２の所望値を設定することと、選択的還元システムから流出する処理済み排気ガス中の排出化合物に対する第３の所望値を設定することと、還元剤スリップの第２の量に対する第２の所望値を達成するために、還元剤を選択的触媒還元システム内に噴射することと、排出化合物の第１の量の新たな第１の所望値を設定するために、ガスタービンエンジンから流出して、選択的触媒還元システムに流入する排気ガス中の排出化合物の第１の量の第１の所望値の調節を決定することと、排出化合物の第１の量の新たな第１の所望値を達成するために、ガスタービンエンジンの少なくとも１つの動作パラメータを調節することとを含む。
【０００８】
本発明のこれらのおよび他の特徴、態様および利点は、図面全体を通して類似の符号が類似の部分を表す添付図面を参照しながら以下の詳細な説明を読むと、より良く理解される。
【図面の簡単な説明】
【０００９】
【図１】本開示の実施形態に係る、タービンシステムの排出を制御するためのシステムを含むタービンシステムのブロック図である。
【図２】図１のタービンシステムの排出を制御するための方法のフローチャートである。
【図３】図１のタービンシステムの排出を制御するための方法のフローチャートである。
【発明を実施するための形態】
【００１０】
本発明の１つまたは複数の具体的な実施形態を以下に説明する。これらの実施形態を簡潔に説明するために、本明細書では、実際の実施の特徴全てを説明するわけではない。かかる実際の実施の開発では、あらゆる工学または設計プロジェクトと同様に、実施ごとに異なり得る（システム関連およびビジネス関連の制約の遵守などの）開発者の具体的目標を達成するために、多数の実施特有の決定を下さなければならないことを理解すべきである。加えて、このような開発努力は、複雑かつ時間を要するものであり得るが、本開示の利益を享受する当業者にとっては設計、製作、および製造の通常の取り組みとなるであろうことを理解すべきである。
【００１１】
本発明の種々の実施形態の要素を導入する場合に、冠詞「ａ」、「ａｎ」、「ｔｈｅ」および「ｓａｉｄ」は、１つまたは複数の要素が存在することを意味することが意図される。用語「備える」、「含む」および「有する」は、包含的であることが意図され、列挙された要素以外に追加の要素が存在し得ることを意味する。
【００１２】
本発明の実施形態は、一般に、ガスタービンシステムの排出を制御するための技術に関する。例えば、ガスタービンシステム内において、１つまたは複数のガスタービンエンジンは、燃料を燃焼させて、（各々が複数の翼を有する）１つまたは複数のタービン段を駆動するための燃焼ガスを生成することができる。燃焼プロセスにより生じる排ガスは、燃焼させる燃料の種類に応じて、窒素酸化物（ＮＯX）、硫黄酸化物（ＳＯX）、炭素酸化物（ＣＯX）、および未燃炭化水素を含み得る。しばしば、（ガスタービン発電プラントなどの）ガスタービンシステムにより放出される排気ガスの組成は、厳しい規制要件の対象となる。ほんの一例として、規制では、大気中に放出される排気ガスのＮＯX組成物が、閾値レベル（例えば、３ｐｐｍ（百万分率））以下であることを要求する場合がある。
【００１３】
排気ガス流中のＮＯXを除去するかまたはＮＯXの量を低減するための１つの技術は、選択的触媒還元（ＳＣＲ）によるものである。ＳＣＲプロセスにおいて、アンモニア（ＮＨ3）などの還元剤は、排気ガス流中に噴射されて、ＮＯXと反応し、窒素（Ｎ2）および水（Ｈ2Ｏ）を生成する。ＳＣＲプロセスの有効性は、排気ガス流中に噴射される還元剤の量に少なくとも部分的に依存し得る。しかしながら、還元剤が排気ガス流中に過剰に噴射された場合には、過剰の還元剤は、ＮＯXと反応しない可能性がある。そのため、ある量の還元剤は、未反応の状態でＳＣＲプロセスを「すり抜ける」または通過する。
【００１４】
排気ガス流中のＮＯX（または他の排出化合物）を除去するかまたはＮＯX（または他の排出化合物）の量を低減するための別の技術は、ガスタービンシステムの動作を調整することによるものである。例えば、燃料システムの動作（例えば、燃空比、燃料分割などの調節）は、ガスタービンシステムの燃焼器内で低い火炎温度を維持するように調整してもよく、これによりＮＯX排出レベルを低減する。更なる例として、ガスタービンシステムの燃焼器内に水または水蒸気を噴射することにより、ＮＯX排出レベルを低減してもよい。しかしながら、水または水蒸気の噴射は、タービンシステム内の燃焼ダイナミックス（例えば、音響振動および／または圧力振動）を増大させる可能性がある。そのため、タービンシステムの燃焼器内に噴射される水または水蒸気の量を監視および／または調整することが望ましい場合がある。
【００１５】
そのようなものとして、本発明の実施形態によれば、単純サイクルの強力ガスタービンシステムまたは航空機エンジン転用型燃焼システムなどの、タービンシステムは、タービンシステムにより生成される排出物（例えば、スタック排出物）の所望の質を達成するために、ガスタービンシステムの種々の排出制御技術（例えば、燃空比、火炎温度、水蒸気噴射、水噴射、燃料組成など）と（例えば、排気セクション内の）選択的触媒還元システムを調整しかつ連動させるように構成された制御システムを含み得る。例えば、以下に更に説明するように、制御システムは、ガスタービンシステム内の排出制御手段の使用を低減できるようにしつつ、ＮＯX排出レベルを低減するために、ＳＣＲシステムの利用可能なＮＯX還元能力を利用するように構成してもよい。この方式で、燃料システムの動作を調節してもよく（例えば、燃空比を増減させてもよく）、水蒸気または水の噴射を低減してもよく、あるいは、燃焼ダイナミックス（例えば、音響振動および／または圧力振動）を低減し、それにより、燃焼器および／またはタービンハードウェアに対する機械的疲労および熱疲労を軽減するように、ガスタービンシステムの他の動作パラメータを調節またせてもよい。追加的に、タービンシステムの性能、動力出力、および効率を向上させてもよい。
【００１６】
一実施形態では、ガスタービンシステムのガスタービンにより生成されるＮＯX量の変化（例えば、ＳＣＲシステムに送られる排気ガス中のＮＯX量の変化）を予め設定するかまたはスケジューリングしてもよい。例えば、ガスタービンのＮＯX排出をガスタービン負荷の関数としてスケジューリングしてもよい。そのようなものとして、ＳＣＲシステムの制御装置は、（例えば、ガスタービンにより生成される排気ガス中のＮＯX量に基づいて）ＳＣＲシステム内に適切な量の還元剤を噴射して、排出レベル（例えば、ＮＯXレベル）をガスタービンシステム排出（例えば、スタック排出）の閾値レベル未満に維持するように構成してもよい。別の実施形態では、排出レベル（例えば、スタックのＮＯXレベル）をＳＣＲシステムの所望レベルまたは閾値レベル未満に維持しつつ、ガスタービンエンジン内の排出制御手段を減らして、ＳＣＲシステムに流入する排気ガス中のＮＯXを増大させるように、ＳＣＲシステム内の還元剤「スリップ」の量（例えば、未反応の還元剤の量）およびガスタービンシステム排出物（例えば、スタック排出物）中のＮＯX量を同時に制御してもよい。この目的のために、燃焼器内の排出制御手段を低減するように、１つまたは複数のガスタービン（例えば、燃焼）動作パラメータを調節してもよく、このことにより、下記のように、ガスタービンの動作中に生じる燃焼ダイナミックスの大きさを低減し、および／またはタービンシステムの動力出力、性能、効率などを向上させてもよい。下記の実施形態についてＮＯX還元の文脈で説明しているが、当然のことながら、開示の技術を他の排出化合物（例えば、ＣＯ）の低減に利用してもよい。追加的に、特定の実施形態では、第１の排出化合物（例えば、ＮＯX）のレベルを増大させてもよく、それにより、第２の排出化合物（例えば、ＣＯ）のレベルが低下する。例えば、以下に説明する方式で、ガスタービンエンジン内でＮＯX排出レベルが増大すると、ガスタービンエンジン内でＣＯレベルが低下する可能性がある。
【００１７】
前述の内容を念頭に置いて、図１は、ガスタービンエンジン１２と排気処理システム１４とを含む例示的なタービンシステム１０のブロック図である。特定の実施形態において、タービンシステム１０は、発電システムであってもよい。タービンシステム１０は、高温燃焼ガスを発生させて、タービンシステム１０を駆動するために、天然ガスおよび／または水素リッチ合成ガスなどの液体および／または気体燃料を燃焼させることができる。
【００１８】
図示のように、ガスタービンエンジン１２は、空気取り入れセクション１６と、圧縮機１８と、燃焼器セクション２０と、タービン２２とを含む。シャフトを介して圧縮機１８にタービン２２を駆動連結してもよい。動作中、空気は（矢印１７で表す）空気取り入れセクション１６を通ってガスタービンエンジン１２に流入し、圧縮機１８内で加圧される。圧縮機１８は、シャフトに連結された複数の圧縮機翼を含み得る。シャフトの回転により圧縮機翼の回転が生じ、それにより圧縮機１８内に空気が引き込まれ、燃焼器セクション２０に流入する前に空気が圧縮される。
【００１９】
燃焼器セクション２０は、１つまたは複数の燃焼器を含み得る。一実施形態では、シャフトの周囲にほぼ円形または環状の配置で周方向の複数位置に複数の燃焼器を配置してもよい。圧縮空気が圧縮機１８から流出して、燃焼器セクション２０に流入する際に、（複数の）燃焼器内での燃焼のために圧縮空気を燃料１９と混合することができる。例えば、（複数の）燃焼器は、燃焼、排出制御、燃費、動力出力などに適した比率で（複数の）燃焼器内に燃料／空気混合物を噴射する１つまたは複数の燃料ノズルを含み得る。空気と燃料の燃焼により高温加圧排気ガスが発生し、この高温加圧排気ガスを、タービン２２における１つまたは複数のタービン段（各々が複数のタービン翼を有する）を駆動するために利用することができる。動作中、タービン２２内に流れ込みかつタービン２２を通って流れる燃焼ガスは、タービン翼に抗してかつタービン翼間を流れ、それによりタービン翼を駆動させ、したがって、シャフトを回転させて、（発電プラント内の発電機などの）負荷を駆動する。上記のように、シャフトの回転はまた、吸気口１６で受け入れられた空気を圧縮機１８内の翼に引き込ませ加圧させる。
【００２０】
タービン２２を通って流れる燃焼ガスは、排気ガス流２６としてタービン２２の下流側端部２４から流出することができる。排気ガス流２６は、排気処理システム１４に向かって下流方向２７に流れ続けることができる。排気処理システム１４は、排気ガス２６から他のシステム（例えば、蒸気タービン）へ熱エネルギーを伝達するための、高圧（ＨＰ）空気／蒸気熱交換器３１、中圧（ＩＰ）空気／蒸気熱交換器３３および低圧（ＬＰ）空気／蒸気熱交換器３５を含み得る。他の実施形態は、熱交換器３１、３３、および３５のいくつかを含んでもよいし、熱交換器３１、３３、および３５を全く含まなくてもよい。タービン２２の下流側端部２４は、排気処理システム１４のＳＣＲシステム３０に流体連結することができる。先に記載したように、燃焼プロセスの結果として、排気ガス２６は、窒素酸化物（ＮＯX）、硫黄酸化物（ＳＯX）、炭素酸化物（ＣＯX）、および未燃炭化水素などのある種の副生成物を含み得る。特定の規制要件に従って、大気中に排気ガス流を放出する前にかかる副生成物の濃度を低減するかまたは実質的に最小限に抑えるために、排気処理システム１４を用いてもよい。当然のことながら、用途におけるＮＯX還元の最大需要に基づいて、ＳＣＲシステム３０を設計または寸法決めすることができる。そのため、ガスタービンエンジン１２が全負荷または基本負荷で動作しておらず、かつガスタービンエンジン１２が最大ＮＯXレベルまたは排気ガス２６の最大流れを生成していない場合、ＳＣＲシステム３０は、ＮＯX還元に対する追加の（例えば、未使用の）能力を有し得る。以下に説明する方式で、燃焼器内での他の排出制御手段の使用を低減することにより、燃焼器２０の動作および寿命を向上させるために、ガスタービンエンジン１２全負荷未満で、ＳＣＲシステム３０の追加のまたは未使用のＮＯX還元能力を利用してもよい。追加的に、特定の実施形態では、追加のＮＯX還元能力を提供するように、ＳＣＲシステム３０を過剰設計してもよい。そのようなものとして、ガスタービンエンジン１２を全負荷で動作させてもよく、排気ガス流２６中のＮＯXレベルを更に低減するために、ＳＣＲシステム３０の未使用の能力を利用してもよい。
【００２１】
上述のように、排気ガス流中のＮＯXを除去するかまたはＮＯXの量を低減するための１つの技術は、選択的触媒還元（ＳＣＲ）プロセスを使用することによるものである。例えば、排気ガス流２６からＮＯXを除去するためのＳＣＲプロセスでは、アンモニア（ＮＨ3）は、排気ガス流（例えば、排気ガス２６）中に噴射されて、ＮＯXと反応し、窒素（Ｎ2）と水（Ｈ2Ｏ）を生成する。当然のことながら、このＳＣＲプロセスの有効性は、排気ガス２６中に噴射されるアンモニア（ＮＨ3）の量に少なくとも部分的に依存し得る。以下に詳細に記載するように、排出レベル（例えば、ＮＯX排出レベル）をガスタービンエンジン１２（例えば、排気ガス２６）およびタービンシステム全体（例えば、スタック排出）の１つまたは複数の閾値レベル未満に維持するために、排気ガス２６中に噴射されるアンモニア（ＮＨ3）の量をガスタービンエンジン１２の他の動作パラメータと共に調整してもよい。
【００２２】
図１に示すように、ＳＣＲシステム３０は、矢印３４で表す、排気ガス流２６の中に還元剤を噴射するように構成された還元剤（例えば、アンモニア（ＮＨ3））噴射グリッド３２を含む。一実施形態において、還元剤噴射グリッド３２は、排気ガス流２６の中に還元剤を噴射するための開口を備えた配管網を含み得る。還元剤の噴射（例えば、矢印３４）は、ＳＣＲ触媒３７の上流側で行われる。当然のことながら、排気ガス２６中の還元剤およびＮＯXは、ＳＣＲ触媒３７を通過する際に反応して、窒素（Ｎ2）および水（Ｈ2Ｏ）を生成し、したがって、排気ガス２６からＮＯXが除去される。結果として生じる排出物（例えば、処理済み排気ガス流３６またはスタック排出物）は、矢印４０で表すように、タービンシステム１０のスタック３８を通して大気中に放出される。更に、スタック３８は、いくつかの実施形態において、サイレンサまたはマフラを含み得る。
【００２３】
図示のように、還元剤供給源４２（例えば、還元剤貯留槽）から還元剤噴射グリッド３２に還元剤（例えば、アンモニア（ＮＨ3））を供給することができる。追加的に、弁４４は、還元剤噴射グリッド３２に供給される還元剤の流量を制御することができる。以下に詳細に記載するように、処理済み排気ガス流３６（例えば、スタック排出物）中の所望のＮＯX濃度（例えば、閾値レベル未満）を達成するために、還元剤の流量を制御してもよい。例えば、特定の実施形態では、還元剤の流量が、ＳＣＲシステム３０に流入する排気ガス２６中のＮＯX量に少なくとも部分的に基づいてもよい。追加的に、還元剤の流量は、ＳＣＲシステム３０の利用可能なＮＯX還元能力に少なくとも部分的に基づいてもよい。
【００２４】
本実施形態では、一般に排気ガス流２６のＮＯXの処理または除去に焦点を当てているが、他の実施形態では、一酸化炭素および未燃炭化水素などの他の燃焼副生成物の除去を行ってもよい。そのようなものとして、供給する触媒は、排気ガス流２６から除去される組成物によって異なってもよい。追加的に、本明細書に開示する実施形態は、１つのＳＣＲシステム３０を使用することに限定されるものではなく、複数のＳＣＲシステム３０を含めてもよいことを理解すべきである。
【００２５】
更に図１を参照すると、タービンシステム１０は更に、ガスタービンエンジン１２および排気処理システム１４の動作を調整するように構成されたタービンシステム制御システム４６を含む。具体的には、タービンシステム制御システム４６は、排気処理制御システム４８とガスタービンエンジン制御システム５０とを含み、これらのシステムは、協働して、排気ガス流２６の排出物（例えば、ＮＯX、ＣＯなど）の処理および除去を連動させてもよい。例えば、以下に詳細に説明する方式で、タービンシステム制御システム４６（例えば、排気処理制御システム４８および／またはガスタービンエンジン制御システム５０）は、排気ガス２６中および処理済み排気ガス３６中の両方のＮＯX低減の相対量を制御するように、ガスタービンエンジン１２および／またはＳＣＲシステム３０の１つまたは複数の動作パラメータを調整してもよい。換言すれば、ガスタービンエンジン１２内でのＮＯX排出制御の低減を可能にするために、ＳＣＲシステム３０内でのＮＯX還元を高めてもよい。
【００２６】
図示のように、排気処理制御システム４８は、マイクロプロセッサ５４とメモリ５６とを有する制御装置５２を含む。例えば、メモリ５６は、実行可能命令を有する任意の好適な有形のコンピュータ読取可能媒体を含み得る。排気処理制御システム４８は更にオプティマイザ５８を含み、このオプティマイザ５８は、ガスタービンエンジン１２内およびＳＣＲシステム３０内のＮＯX還元を連動させる（例えば、ＮＯX低減の相対量を最適化する）ために、タービンシステム１０の１つまたは複数の動作パラメータを制御または調整するように構成してもよい。例えば、オプティマイザ５８はまた、排気ガス２６中および処理済み排気ガス３６中のＮＯX低減を制御するための実行可能命令を有するメモリ５６を含み得る。排気処理制御システム４８は、ＳＣＲシステム３０の１つまたは複数の構成要素を調整してもよい。例えば、図示の実施形態に示すように、排気処理制御システム４８は、弁４４の動作を調整してもよい。この方式で、排気処理制御システム４８は、ＳＣＲシステム３０内への還元剤（例えば、アンモニア（ＮＨ3））の流量を制御してもよく、これにより、ガスタービンエンジン１２の下流側で排気ガス２６からのＮＯXの除去量を調節する。排気処理制御システム４８はまた、ＳＣＲシステム３０の他の構成要素の動作を調整してもよい。
【００２７】
追加的に、排気処理制御システム４８は、測定されたフィードバックに基づいて、ＳＣＲシステム３０の種々の構成要素の動作を調整してもよい。例えば、ＳＣＲシステム３０は、ＳＣＲシステム３０内の還元剤「スリップ」を測定するように構成されたセンサ６０を含み得る。上述のように、還元剤が排気ガス２６中に過剰に噴射された場合、ある量の還元剤は、未反応の状態でＳＣＲシステム３０を「すり抜ける」または通過する。そのようなものとして、センサ６０は、ＳＣＲシステム３０内および還元剤噴射グリッド３２の下流側で未反応の還元剤の量を測定するように構成してもよい。更に、ＳＣＲシステム３０は、スタック３８から流出する処理済み排気ガス流３６の組成を連続的に監視するセンサ６２と、還元剤供給源４２から還元剤噴射グリッド３２に供給される還元剤の流量を測定するように構成されたセンサ６４と、排気ガス２６中のＮＯXを測定するように構成されたセンサ６６とを含み得る。例えば、特定の実施形態において、制御装置５２ならびにセンサ６２および６６は、米国特許第８，１５１，５７１号明細書に記載のレーザによる排出物の測定および制御システムを使用して排出物パラメータを測定してもよく、この文献は、その全体が参照により本明細書に組み込まれる。追加的に、特定の実施形態において、センサ６０および制御装置５２は、米国特許出願公開第２０１１／０１９２１４７号明細書に記載の還元剤スリップ制御アルゴリズムを使用して還元剤スリップを測定してもよく、この文献は、その全体が参照により本明細書に組み込まれる。以下に説明する方式で、排気処理制御システム４８は、排気ガス２６中および処理済み排気ガス３６中のＮＯX還元を調整しかつ連動させる（例えば、ＮＯX低減の相対量を最適化する）ために、１つまたは複数のセンサ６０、６２、６４、および６６またはＳＣＲシステム３０の他のセンサからの測定されたフィードバックを利用してもよい。
【００２８】
同様に、オプティマイザ５８は更に、ガスタービンエンジン１２の動作を調整してもよい。特定の実施形態において、オプティマイザ５８は、センサ６０、６２、６４および６６からの測定されたフィードバックに基づいて、ガスタービンエンジン１２の１つまたは複数の構成要素の動作を調整してもよい。例えば、ガスタービンエンジン制御システム５０のガスタービン制御装置６８は、オプティマイザ５８および／または排気処理制御システム４８から動作命令またはフィードバックを受け取ってもよい。それに応じて、ガスタービン制御装置６８は、ガスタービンエンジン１２の１つまたは複数の動作システム７０を調整してもよい。例えば、ガスタービン制御装置６８は、燃料を燃焼器２０に供給する燃料システム７２の動作を制御してもよい。具体的には、ガスタービン制御装置６８は、燃料流量、燃料分割（例えば、２つ以上の燃料ノズルおよび／または燃焼器の間での燃料の分割）、燃料組成、空燃比（例えば、リッチ、リーン、または略理論空燃比）、または燃焼器２０に供給される燃料に関連する他の動作パラメータを調整するように、燃料システム７２を制御してもよい。追加的に、ガスタービン制御装置６８は、ガスタービンエンジン１２の給水システム７４の動作を調整してもよい。上述のように、タービン２２から流出する排気ガス流２６中のＮＯXを還元するために、水または水蒸気を（例えば、給水システム７４から）燃焼器２０内に噴射してもよい。しかしながら、燃焼器２０内に噴射される水（例えば、液体の水または水蒸気）は、燃焼器２０内の圧力振動および振動（例えば、燃焼ダイナミックス）を増大させる場合がある。そのため、以下に説明する方式で、タービンシステム制御システム４６（例えば、排気処理制御システム４８および／またはガスタービンエンジン制御システム５０）は、タービンシステム１０の他の動作パラメータの制御と併せて給水システム７４から燃焼器２０内に噴射される水量を制御するように構成してもよい。更に、ガスタービン制御装置６８は、（例えば、排気処理制御システム４８および／またはオプティマイザ５８から受け取った命令および／またはフィードバックに基づいて）ガスタービンエンジン１２の他の運転システム７６を調整または制御してもよい。例えば、他の運転システム７６は、ガスタービンエンジン１２のモード、燃焼器２０の火炎温度などを調整するように構成されたシステムを含み得る。
【００２９】
加えて、タービンシステム制御システム４６（例えば、排気処理制御システム４８および／またはガスタービンエンジン制御システム５０）は、ユーザ入力７８を受け取り、そのユーザ入力７８に基づいてタービンシステム１０の動作およびＮＯXレベルを制御するように構成してもよい。例えば、ユーザ入力７８は、還元剤価格、排気ガスのＮＯX設定点、電力料金、電力需要、燃料価格、燃焼器の停止間隔、ＮＯXクレジット、他の財務情報、および／またはタービンシステム１０の動作に関連する他の情報を含み得る。そのようなユーザ入力７８情報は更に、排気ガス２６中のＮＯX低減の制御（例えば、ガスタービンエンジン１２内でのＮＯX制御）および処理済み排気ガス３６中のＮＯX還元の制御（例えば、排気処理システム１４内でのＮＯX制御）に取り入れられる。特定の実施形態では、更なる制約条件または制御パラメータをオプティマイザ５８で使用してもよい。例えば、追加の制約条件は、環境規制、スタック３８のＣＯ排出規制、または他の動作上の制約条件に基づく許容可能な還元剤スリップを含み得る。
【００３０】
上述のように、オプティマイザ５８は、（例えば、燃焼ダイナミックスを低減すること、ＣＯを低減すること、リーン失火マージンを増大させることなどにより）タービンシステム１０のハードウェアおよび部品の寿命を延ばすと同時に、タービンシステム１０内のＮＯX低減を制御するために、タービンシステム１０の動作を調整するように構成される。例えば、一実施形態では、排気ガス２６中のＮＯXレベルの変化をスケジューリング（例えば、予め設定）してもよく、また、スタック３８を通して放出される処理済み排気ガス３６中の許容されるＮＯXレベルを達成するために、ＳＣＲシステム３０を制御してもよい。別の実施形態では、処理済み排気ガス３６中のＮＯXの許容されるレベルを達成するために、還元剤スリップ（例えば、未反応の還元剤）および処理済み排気ガス３６中のＮＯXレベルを同時に制御してもよい。このような実施形態では、ガスタービンエンジン１２内のＮＯX制御手段を低減して、ＳＣＲシステム３０に流入する排気ガス２６中のＮＯX量を増大させるように、ガスタービンエンジン１２の１つまたは複数の動作条件を制御してもよく、それにより、排気ガス２６中のＮＯXレベルを許容されるレベルに低減するために、ＳＣＲシステム３０の能力を利用する。この方式で、水／水蒸気噴射および／またはガスタービンエンジン１２の他のＮＯX低減手段を低減してもよく、それにより、燃焼ダイナミックスを低減して燃焼器２０の寿命を延長し、リーン失火マージンを増大させ、燃焼器のトリップおよび消炎を減少させ、ターンダウン負荷を低減する。
【００３１】
図２は、タービンシステム制御システム４６を使用してタービンシステム１０の排出を制御するための方法１００を図示するフローチャートである。ステップ１０２で表すように、ガスタービンエンジン１２のＮＯXレベル（例えば、ガスタービンエンジン１２から流出する排気ガス２６中のＮＯXレベル）の変化をスケジューリングしてもよい。例えば、ガスタービンエンジン１２から流出する排気ガス２６中のＮＯXレベルは、ガスタービンエンジン１２のスケジューリングされた負荷、動作モード（例えば、始動、定常状態、停止、部分負荷、ターンダウンなど）、または動作時間に基づいて異なってもよい。一実施形態において、第１の期間中にガスタービンエンジン１２からＮＯX排出の第１のレベルが許可または出力され、その後、第２の期間中にガスタービンエンジン１２からＮＯX排出の第２のレベルが許可または出力される。第１および第２の期間中、排気ガス２６中のＮＯX排出量を処理済み排気ガス３６の許容されるレベルに更に低減するように、ＳＣＲシステム３０を制御してもよい。特定の実施形態では、ガスタービンエンジン１２から流出して、ＳＣＲシステム３０に流入する排気ガス２６中のＮＯXレベルを、ユーザ入力７８としてタービンシステム制御システム４６にてスケジューリングするかまたは予め設定してもよい。当然のことながら、ガスタービンエンジン制御システム５０は、排気ガス２６中のスケジューリングされたまたは予め設定されたＮＯXレベルを達成するために、１つまたは複数の動作システム７０（例えば、燃料システム７２、給水システム７４、または他の運転システム７６）を制御するように構成してもよい。特定の実施形態において、センサ６６は、ガスタービンエンジン１２から流出する排気ガス２６中のＮＯXレベルを測定してもよく、また、タービンシステム制御システム４８は、１つまたは複数の動作システム７０を調整して、スケジューリングされたＮＯXレベルを達成するために、フィードバックまたは命令をガスタービン制御装置６８に伝達してもよい。
【００３２】
ガスタービンエンジン１２から流出する排気ガス２６のＮＯXレベルがスケジューリングされた状態または予め設定された状態で、ステップ１０４で表すように、スタック３８から流出する処理済み排気ガス３６中のＮＯXの許容されるレベルを達成するために、ＳＣＲシステム３０を（例えば、排気処理制御システム４８により）動作させるかまたは制御してもよい。例えば、ＳＣＲシステム３０に流入する排気ガス２６中のＮＯXレベルに基づいて、排気処理制御システム４８は、還元剤噴射グリッド３２を通ってＳＣＲシステム３０に流入する還元剤（例えば、アンモニア）の量を制御する弁４４の動作を調整してもよい。具体的には、処理済み排気ガス３６の許容されるＮＯXレベルを達成するために、ＳＣＲシステム３０内に噴射される還元剤の量を制御してもよい。例えば、排気処理制御システム４８は、センサ６２から処理済み排気ガス３６中の測定されたＮＯX量を受け取ってもよく、制御装置５２は、ＳＣＲシステム３０内に十分な量の還元剤を噴射して、処理済み排気ガス３６中のＮＯXレベルを許容されるレベルに低減するように、弁４４の動作を調節してもよい。
【００３３】
図３は、タービンシステム制御システム４６を使用してタービンシステム１０の排出を制御するための方法１２０を図示するフローチャートである。例えば、図示の方法１２０は、スタック３８を通ってタービンシステム１０から流出する処理済み排気ガス３６中の許容されるＮＯXレベルを達成すると同時に、ガスタービンエンジン１２から流出して、ＳＣＲシステム３０に流入する排気ガス２６中のＮＯX量を増大させる（例えば、最大にする）ために使用することができる。まず、ステップ１２２で表すように、ガスタービンエンジン１２から流出して、ＳＣＲシステム３０に流入する排気ガス２６中のＮＯXに対する所望値または目標値を設定してもよい。例えば、ガスタービンエンジン１２から流出して、ＳＣＲシステム３０に流入する排気ガス２６中のＮＯXレベルに対する所望値または目標値は、ユーザ入力７８を通じてオプティマイザ５８にて設定してもよい。その後、ステップ１２４で表すように、ＳＣＲシステム３０内の還元剤スリップに対する所望値または目標値を設定してもよい。例えば、ＳＣＲシステム３０内の還元剤スリップに対する所望値または目標値は、ユーザ入力７８を通じてオプティマイザ５８にて設定してもよい。特定の実施形態において、ＳＣＲシステム３０内の還元剤スリップに対する所望値または目標値は、特定の規制（例えば、環境規制）に基づく許容量または許可量に基づいてもよい。次に、ステップ１２６で表すように、排気処理システム１４のスタック３８から流出する処理済み排気ガス３６中のＮＯXレベルに対する所望値または目標値を設定してもよい。同じく上で説明したように、処理済み排気ガス３６中のＮＯXに対する所望値または目標値は、ユーザ入力７８を通じてオプティマイザ５８にて設定してもよい。追加的に、処理済み排気ガス３６中のＮＯXに対する所望値または目標値は、特定の規制（例えば、環境規制）に基づく許容量または許可量に基づいてもよい。
【００３４】
上述した値が（例えば、ユーザ入力７８により）設定されるか、さもなければ予めプログラムされていると、ステップ１２８で表すように、所望の還元剤スリップ値を達成するために、還元剤をＳＣＲシステム３０内に噴射することができる。例えば、排気処理制御システム４８の制御装置５２は、還元剤供給源４２からＳＣＲシステム３０の還元剤噴射グリッド３２への還元剤の流れを制御する弁４４の動作を調整してもよい。追加的に、排気処理制御システム４８は、測定された還元剤スリップ（例えば、未反応の還元剤）のフィードバックをセンサ６０から受け取ってもよい。センサ６０からの測定されたフィードバックを使用して、制御装置５２は更に、還元剤スリップに対する所望値を達成するために、（例えば、弁４４の動作を制御することにより）ＳＣＲシステム３０内への還元剤の流れを調整してもよい。更に、特定の実施形態では、排気処理制御システム４８のメモリ５６に格納できる１つまたは複数のアルゴリズムを使用して、還元剤スリップを制御してもよい。例えば、一実施形態において、アルゴリズムは、米国特許出願公開第２０１１／０１９２１４７号明細書に記載の還元剤スリップ制御アルゴリズムであってもよく、この文献は、その全体が参照により本明細書に組み込まれる。
【００３５】
その後、ステップ１３０で表すように、ＳＣＲシステム３０に流入する排気ガス２６中のＮＯXの所望値の調節を決定してもよい。例えば、ガスタービンエンジン１２から流出して、ＳＣＲシステム３０に流入する排気ガス２６中のＮＯXの所望値は、センサ６０および／または６２が受け取る測定されたフィードバックに少なくとも部分的に基づいて増減してもよい。よって、オプティマイザ５８が適切な調節値を算出してもよい。例えば、オプティマイザ５８は、ＳＣＲシステム３０が（例えば、センサ６０が決定した測定された還元剤スリップに基づいて）追加の未使用の能力を有すると算出した場合、ＳＣＲシステム３０に流入する排気ガス２６中のＮＯXの所望値を増大させるべきであると決定してもよい。
【００３６】
ＳＣＲシステム３０に流入する排気ガス２６中のＮＯXの所望値の調節が決定された後に、タービンシステム制御システム４６（例えば、オプティマイザ５８）は、ステップ１３２で表すように、ＳＣＲシステム３０に流入する排気ガス２６中のＮＯXに対する新たな所望値を達成するために、少なくとも１つのガスタービンエンジン１２の動作パラメータの調節を決定してもよい。例えば、オプティマイザ５８がＳＣＲシステム３０に流入する排気ガス２６中のＮＯXに対する所望値を増大させるべきであると決定した場合、ガスタービン制御装置６８は、ガスタービンエンジン１２の給水システム７４を動作させて、燃焼器２０内への水／水蒸気噴射を減少させてもよい。その結果、低減された水／水蒸気噴射により燃焼器２０内の燃焼ダイナミックスを低減することができ、それにより、燃焼器２０構成要素の摩耗を低減しかつ燃焼器２０の耐用年数を増大させる。オプティマイザ５８により決定された調節に基づいて、ガスタービン制御装置６８により変更され得る他のガスタービンエンジン１２の動作パラメータは、燃料分割に対する調節（例えば、１つまたは複数の燃料ノズルまたは燃焼器への１つまたは複数の燃料の流れを調節する）、火炎温度、燃空比（または当量比）、燃料組成などを含み得る。
【００３７】
ＳＣＲシステム３０に流入する排気ガス２６中のＮＯXに対する新たな所望値を達成するために、ガスタービンエンジン１２の１つまたは複数のパラメータに対する調節が行われた後に、タービンシステム制御システム４６（例えば、オプティマイザ５８）は、ステップ１２８、１３０、および１３２をループ（例えば、連続ループ）で再び順次実行してもよい。つまり、センサ６０により測定された所望の還元剤スリップ値を達成するために、ＳＣＲシステム３０内に還元剤を噴射してもよく、ＳＣＲシステム３０に流入する排気ガス２６中のＮＯXに対する所望値の調節を決定してもよく、１つまたは複数の動作パラメータの調節をガスタービンエンジン１２に対して決定および実行してもよい。この方式で、ガスタービンエンジン１２の全負荷未満または基本負荷未満中にＳＣＲシステム３０の利用可能な能力を利用する、燃焼器２０内の燃焼ダイナミックスを低減する、（例えば、ＳＣＲシステム３０の上流側のガスタービンエンジン１２においてＮＯX排出を増大させることにより）ＣＯ排出を低減する、リーン失火マージンを増大させる、ターンダウン負荷を減少させるなどのために、ガスタービンエンジン１２およびＳＣＲシステム３０の動作を連動させてもよい（例えば、同時に連動させかつ制御してもよい）。
【００３８】
上に詳細に記載したように、単純サイクルの強力ガスタービンシステムまたは航空機エンジン転用型燃焼システムであってもよい、タービンシステム１０は、タービンシステム１０により生成される排出物（例えば、スタック排出物）の所望の質を達成するために、ガスタービンエンジン１２およびＳＣＲシステム３０の動作を調整しかつ連動させるように構成されたタービンシステム制御システム４６を含む。例えば、タービンシステム制御システム４６は、ＮＯX排出レベルを低減するために、ＳＣＲシステム３０の利用可能なＮＯX還元能力を利用するように構成してもよく、その結果、他の排出制御手段を減らして、ガスタービンエンジン１２の性能、効率、寿命、および／または動力出力を向上させることができる。具体的には、ガスタービンエンジン１２が全負荷または基本負荷で動作しておらず、かつＳＣＲシステム３０が未使用のＮＯX還元能力を有する場合、燃焼器ハードウェアに対する機械的疲労および熱疲労を低減する、リーン失火マージンを増大させる、ターンダウン負荷を低減する、他の排出化合物（例えば、ＣＯ）を低減するなどと同時に、ガスタービンエンジン１２により生成される排気ガス２６中のＮＯXレベルを潜在的に増大させるように、ガスタービンエンジン１２の動作パラメータを調節してもよい。例えば、ガスタービンエンジン１２により生成されて、ＳＣＲシステム３０に流入する排気ガス２６中のＮＯXレベルの変化を、予め設定するかまたはスケジューリングしてもよい。つまり、排気ガス２６中のＮＯXレベルは、第１の期間中に第１のレベルで、また第２の期間中に第２のレベルで生成され、これに応じて、ＳＣＲシステム３０は、処理済み排気ガス３６中のＮＯXレベルを更に低減してもよい。追加的に、ＳＣＲシステム３０の利用可能なＮＯX還元能力を利用するために、ＳＣＲシステム３０およびガスタービンエンジン１２の動作を同時に制御しかつ連動させてもよい。
【００３９】
本明細書では、例を用いて、最良の形態を含めて本発明を開示するとともに、任意の装置またはシステムの製造および使用ならびに任意の包含される方法の実行を含め、当業者が本発明を実施できるようにもする。本発明の特許可能な範囲は、特許請求の範囲により定義され、当業者が想到する他の例を含み得る。そのような他の例は、特許請求の範囲の文言と相違しない構造的要素を有する場合、または特許請求の範囲の文言と本質的でない相違を有する同等の構造的要素を含む場合には、特許請求の範囲の範囲内であることが意図される。
【符号の説明】
【００４０】
１０  タービンシステム
１２  ガスタービンエンジン
１４  排気処理システム
１６  吸気口、空気取り入れセクション
１７  矢印
１８  圧縮機
１９  燃料
２０  燃焼器、燃焼器セクション
２２  タービン
２４  下流側端部
２６  排気ガス流、排気ガス
２７  下流方向
３０  ＳＣＲシステム
３１、３３、３５  熱交換器
３２  還元剤噴射グリッド
３４  矢印
３６  処理済み排気ガス流、処理済み排気ガス
３７  ＳＣＲ触媒
３８  スタック
４０  矢印
４２  還元剤供給源
４４  弁
４６  タービンシステム制御システム
４８  排気処理制御システム
５０  ガスタービンエンジン制御システム
５２  制御装置
５４  マイクロプロセッサ
５６  メモリ
５８  オプティマイザ
６０、６２、６４、６６  センサ
６８  ガスタービン制御装置
７０  動作システム
７２  燃料システム
７４  給水システム
７６  運転システム
７８  ユーザ入力
【図１】
2015021497.tif 000003
【図２】
2015021497.tif 000004
【図３】
2015021497.tif 000005